(57)【要約】【課題】待機電流の低減を可能にした携帯機、及びその携帯機を含む電子キーシステムを提供すること。【解決手段】携帯機のマイコンは、ＬＦ受信回路によるウェイク信号の受信を可能とする受信有効モードと、コマンド信号の受信を可能としつつウェイク信号の受信を不可とする受信停止モードと、ＬＦ信号の一切の受信を不可とする受信完全停止モードのいずれかに選択的に携帯機を遷移させる。マイコンは、受信有効モードにおいて、携帯機への振動が検出されず且つリモートキーレスエントリのスイッチが操作されず且つＬＦ信号がＬＦ受信回路によって検出されないまま、タイマによる計時動作を通じて計時された時間が一定時間（一例として６０秒程度）に達したとき、携帯機を受信停止モードへ遷移させる。【選択図】図２
2018028182.tif 000002
【特許請求の範囲】
【請求項１】
ユーザが所持する携帯機において、
当該携帯機の通信相手である機器から送信される無線信号を受信可能な受信手段と、
当該携帯機への振動を検出可能な振動センサと、
前記振動センサによって当該携帯機への振動が検出されたとき、前記受信手段による前記無線信号の受信を可能とする受信有効モードへ当該携帯機を遷移させるとともに、前記受信有効モードにおいて、前記無線信号が前記受信手段によって受信されることなく、前記振動センサによって当該携帯機への振動が検出されないまま一定時間が経過したとき、前記受信手段による前記無線信号の受信を不可とする受信停止モードへ当該携帯機を遷移させる制御手段とを備える
ことを特徴とする携帯機。
【請求項２】
前記制御手段は、前記振動センサによって当該携帯機への振動が検出されたことを契機にタイマによる計時動作を開始して以後、前記無線信号が前記受信手段によって受信されることなく、前記振動センサによって当該携帯機への振動が検出されないまま当該計時動作を通じて計時された時間が前記一定時間に達したとき、当該携帯機を前記受信停止モードへ遷移させることを前提に、前記タイマによる計時動作を開始して以後、当該計時動作を通じて計時された時間が前記一定時間に達する前に、前記無線信号が前記受信手段によって受信された又は前記振動センサによって当該携帯機への振動が検出されたとき、前記タイマによる計時動作をリスタートする
請求項１に記載の携帯機。
【請求項３】
請求項１又は２に記載の携帯機と、当該携帯機の通信相手である前記機器との間で、当該機器から送信される前記無線信号を契機に双方向通信が確立され、当該双方向通信によるキー照合を経て前記携帯機の正当性が認められたとき、前記機器の制御が可能になる電子キーシステムにおいて、
前記携帯機の前記制御手段は、前記受信有効モードにおいて、前記無線信号が前記受信手段によって受信されることなく、前記振動センサによって当該携帯機への振動が検出されないまま前記一定時間が経過したとき、前記機器から送信されるコマンド信号の受信を可能としつつ前記無線信号の受信を不可とする前記受信停止モードへ当該携帯機を遷移させるとともに、前記受信停止モードにおいて、前記コマンド信号が前記受信手段によって受信されたとき、当該携帯機を前記受信有効モードへ遷移させる
ことを特徴とする電子キーシステム。
【請求項４】
前記携帯機の前記制御手段は、前記受信有効モードにおいて、入室に伴う前記コマンド信号が前記受信手段によって受信されたとき、前記一定時間を、当該携帯機が室外にあることを想定した室外用一定時間から当該携帯機が室内にあることを想定した室内用一定時間に設定し直す
請求項３に記載の電子キーシステム。
【請求項５】
前記携帯機の前記制御手段は、前記受信有効モードにおいて、退室に伴う前記コマンド信号が前記受信手段によって受信されたとき、前記一定時間を前記室内用一定時間から前記室外用一定時間に戻す
請求項４に記載の電子キーシステム。
【請求項６】
前記機器は、前記一定時間よりも短い周期で前記コマンド信号を送信する
請求項３〜５のいずれか一項に記載の電子キーシステム。
【請求項７】
前記機器は、前記携帯機との前記双方向通信に際し当該携帯機に送信する既存コマンドを前記コマンド信号として送信する
請求項３〜６のいずれか一項に記載の電子キーシステム。
【請求項８】
前記機器は、前記携帯機との前記双方向通信に際し当該携帯機に送信する既存コマンドとは異なる専用コマンドを前記コマンド信号として送信する
請求項３〜６のいずれか一項に記載の電子キーシステム。
【請求項９】
前記専用コマンドは、送信の度にカウントアップ又は送信の度にカウントダウンされるローリングカウンタを含み、
前記携帯機の前記制御手段は、送信の度にカウントアップされるローリングカウンタを含む前記専用コマンドが前記受信手段によって受信されることを前提に、前記受信停止モードにおいて、前記受信手段によって受信された前記専用コマンドに含まれるローリングカウンタが、メモリに記憶された携帯機側カウンタよりも大きいことを条件に、当該ローリングカウンタを新たな携帯機側カウンタとして前記メモリに記憶しつつ当該携帯機を前記受信有効モードへ遷移させ、
同制御手段は、送信の度にカウントダウンされるローリングカウンタを含む前記専用コマンドが前記受信手段によって受信されることを前提に、前記受信停止モードにおいて、前記受信手段によって受信された前記専用コマンドに含まれるローリングカウンタが、メモリに記憶された携帯機側カウンタよりも小さいことを条件に、当該ローリングカウンタを新たな携帯機側カウンタとして前記メモリに記憶しつつ当該携帯機を前記受信有効モードへ遷移させる
請求項８に記載の電子キーシステム。
【請求項１０】
前記携帯機の前記制御手段は、前記受信有効モードにおいて、前記無線信号が前記受信手段によって受信されることなく、前記振動センサによって当該携帯機への振動が検出されないまま前記一定時間が経過したとき、前記機器から送信されるコマンド信号の受信を可能としつつ前記無線信号の受信を不可とする前記受信停止モードへ当該携帯機を遷移させるとともに、前記受信停止モードにおいて、前記コマンド信号が前記受信手段によって受信されることなく、前記振動センサによって当該携帯機への振動が検出されないまま前記一定時間よりも長い規定時間が経過したとき、前記受信手段による前記無線信号及び前記コマンド信号の受信を共に不可とする受信完全停止モードへ当該携帯機を遷移させる
請求項３〜９のいずれか一項に記載の電子キーシステム。
【請求項１１】
請求項１又は２に記載の携帯機と、当該携帯機の通信相手である前記機器との間で、当該機器から送信される前記無線信号を契機に双方向通信が確立され、当該双方向通信によるキー照合を経て前記携帯機の正当性が認められたとき、前記機器の制御が可能になる電子キーシステムにおいて、
前記携帯機の前記制御手段は、前記受信有効モードにおいて、前記無線信号が前記受信手段によって受信されることなく、前記振動センサによって当該携帯機への振動が検出されないまま前記一定時間が経過したとき、前記受信停止モードへの遷移の可否についての問い合わせ信号を前記機器に送信するとともに、前記問い合わせ信号に応答して前記機器から送信される遷移否定信号が前記受信手段によって受信されたとき、当該携帯機を前記受信停止モードへ遷移させず前記受信有効モードで維持し、前記遷移否定信号が前記受信手段によって受信されないとき、当該携帯機を前記受信停止モードへ遷移させる
ことを特徴とする電子キーシステム。
【発明の詳細な説明】
【技術分野】
【０００１】
本発明は、ユーザが所持する携帯機、及びその携帯機を含む電子キーシステムに関する。
【背景技術】
【０００２】
例えば、特許文献１に開示されているように、いわゆるスマートキーシステム（登録商標）の適用された車両は、ユーザが所持する携帯機との間で双方向通信によるキー照合を行い、キー照合が成立したことを条件に、ドアの解錠を行う。一例として、車両は、携帯機の接近を監視するために、ＬＦアンテナからＬＦ信号を送信してドアの周辺にＬＦエリアを形成する。携帯機を所持するユーザがＬＦエリア内に進入すると、ＬＦ信号に応答して携帯機からＲＦ信号が返信される。車両は、ＲＦ信号を解析してキー照合が成立すると、ドアの解錠を許可する。このとき、ユーザがドアハンドルに触れると、実際にドアが解錠される。
【先行技術文献】
【特許文献】
【０００３】
【特許文献１】特開２００２−３１６６１８号公報
【発明の概要】
【発明が解決しようとする課題】
【０００４】
携帯機において、常時、ＬＦ信号を受信可能な状態を維持していると、その分、相応の待機電流が必要となり、携帯機の電池寿命が短くなる。
また、ユーザの意図以外に通信が成立してしまう可能性がある。
【０００５】
本発明は、このような問題点に着目してなされたものであって、その目的は、待機電流の低減を可能にした携帯機、及びその携帯機を含む電子キーシステムを提供することにある。
【課題を解決するための手段】
【０００６】
上記課題を解決する携帯機は、ユーザが所持する携帯機において、当該携帯機の通信相手である機器から送信される無線信号を受信可能な受信手段と、当該携帯機への振動を検出可能な振動センサと、前記振動センサによって当該携帯機への振動が検出されたとき、前記受信手段による前記無線信号の受信を可能とする受信有効モードへ当該携帯機を遷移させるとともに、前記受信有効モードにおいて、前記無線信号が前記受信手段によって受信されることなく、前記振動センサによって当該携帯機への振動が検出されないまま一定時間が経過したとき、前記受信手段による前記無線信号の受信を不可とする受信停止モードへ当該携帯機を遷移させる制御手段とを備えることをその要旨としている。
【０００７】
この構成によれば、携帯機は、振動の検出に伴い受信有効モードへ遷移した後、その受信有効モードにおいて、無線信号が受信されることなく、振動が検出されないまま一定時間が経過すると、受信停止モードへ遷移する。受信停止モードでは、受信手段による消費電流がほぼゼロに抑えられるため、常時、無線信号を受信可能な状態を維持する場合に比べ、携帯機の待機電流を低減できることになる。これにより、無線信号の及ばない場所で振動が加わらない静置の状態で保管している期間の長い携帯機を対象に、電池寿命が延長される。また、ユーザの意図以外での通信を制限できるので、システム自体のセキュリティ性が向上されるようになる。
【０００８】
上記携帯機について、前記制御手段は、前記振動センサによって当該携帯機への振動が検出されたことを契機にタイマによる計時動作を開始して以後、前記無線信号が前記受信手段によって受信されることなく、前記振動センサによって当該携帯機への振動が検出されないまま当該計時動作を通じて計時された時間が前記一定時間に達したとき、当該携帯機を前記受信停止モードへ遷移させることを前提に、前記タイマによる計時動作を開始して以後、当該計時動作を通じて計時された時間が前記一定時間に達する前に、前記無線信号が前記受信手段によって受信された又は前記振動センサによって当該携帯機への振動が検出されたとき、前記タイマによる計時動作をリスタートすることとしてもよい。
【０００９】
この構成によれば、受信有効モード中には、無線信号が受信される又は振動が検出される都度、タイマによる計時動作がリスタートされる。これにより、携帯機の使用時に受信停止モードとなることを回避できる。
【００１０】
上記課題を解決する電子キーシステムは、上記携帯機と、当該携帯機の通信相手である前記機器との間で、当該機器から送信される前記無線信号を契機に双方向通信が確立され、当該双方向通信によるキー照合を経て前記携帯機の正当性が認められたとき、前記機器の制御が可能になる電子キーシステムにおいて、前記携帯機の前記制御手段は、前記受信有効モードにおいて、前記無線信号が前記受信手段によって受信されることなく、前記振動センサによって当該携帯機への振動が検出されないまま前記一定時間が経過したとき、前記機器から送信されるコマンド信号の受信を可能としつつ前記無線信号の受信を不可とする前記受信停止モードへ当該携帯機を遷移させるとともに、前記受信停止モードにおいて、前記コマンド信号が前記受信手段によって受信されたとき、当該携帯機を前記受信有効モードへ遷移させることをその要旨としている。
【００１１】
この構成によれば、受信停止モード中には、双方向通信の契機となる無線信号の受信を不可とすることで、双方向通信に際し携帯機から送信される信号が中継器によって不正にリレーされることを防止できるとともに、コマンド信号の受信に伴い受信停止モードから受信有効モードとなるので、ユーザの意図した時に双方向通信を確立できる。したがって、セキュリティ性と利便性を両立できる。
【００１２】
上記電子キーシステムについて、前記携帯機の前記制御手段は、前記受信有効モードにおいて、入室に伴う前記コマンド信号が前記受信手段によって受信されたとき、前記一定時間を、当該携帯機が室外にあることを想定した室外用一定時間から当該携帯機が室内にあることを想定した室内用一定時間に設定し直すこととしてもよい。
【００１３】
この構成によれば、携帯機を所持するユーザが入室した場合には、室内用一定時間を用いつつ、ユーザの意図した時に双方向通信を確立できる。
上記電子キーシステムについて、前記携帯機の前記制御手段は、前記受信有効モードにおいて、退室に伴う前記コマンド信号が前記受信手段によって受信されたとき、前記一定時間を前記室内用一定時間から前記室外用一定時間に戻すこととしてもよい。
【００１４】
この構成によれば、携帯機を所持するユーザが退室した場合には、室外用一定時間を用いつつ、中継器による不正を防止できる。
上記電子キーシステムについて、前記機器は、前記一定時間よりも短い周期で前記コマンド信号を送信することとしてもよい。
【００１５】
この構成によれば、機器からのコマンド信号を携帯機によって確実に受信できるため、当該コマンド信号を受信できる環境下で携帯機が受信停止モードとなることを確実に回避できる。これにより、ユーザの意図した時に確実に双方向通信が確立されて、確実に機器を制御できる。
【００１６】
上記電子キーシステムについて、前記機器は、前記携帯機との前記双方向通信に際し当該携帯機に送信する既存コマンドを前記コマンド信号として送信することとしてもよい。
この構成によれば、既存コマンドを流用しつつ、当該既存コマンドを受信できる環境下で携帯機が受信停止モードとなることを回避できる。これにより、ユーザの意図した時に双方向通信が確立されて、機器を制御できる。
【００１７】
上記電子キーシステムについて、前記機器は、前記携帯機との前記双方向通信に際し当該携帯機に送信する既存コマンドとは異なる専用コマンドを前記コマンド信号として送信することとしてもよい。
【００１８】
この構成によれば、専用コマンドを用いつつ、当該専用コマンドを受信できる環境下で携帯機が受信停止モードとなることを回避できる。これにより、ユーザの意図した時に双方向通信が確立されて、機器を制御できる。
【００１９】
上記電子キーシステムについて、前記専用コマンドは、送信の度にカウントアップ又は送信の度にカウントダウンされるローリングカウンタを含み、前記携帯機の前記制御手段は、送信の度にカウントアップされるローリングカウンタを含む前記専用コマンドが前記受信手段によって受信されることを前提に、前記受信停止モードにおいて、前記受信手段によって受信された前記専用コマンドに含まれるローリングカウンタが、メモリに記憶された携帯機側カウンタよりも大きいことを条件に、当該ローリングカウンタを新たな携帯機側カウンタとして前記メモリに記憶しつつ当該携帯機を前記受信有効モードへ遷移させ、同制御手段は、送信の度にカウントダウンされるローリングカウンタを含む前記専用コマンドが前記受信手段によって受信されることを前提に、前記受信停止モードにおいて、前記受信手段によって受信された前記専用コマンドに含まれるローリングカウンタが、メモリに記憶された携帯機側カウンタよりも小さいことを条件に、当該ローリングカウンタを新たな携帯機側カウンタとして前記メモリに記憶しつつ当該携帯機を前記受信有効モードへ遷移させることとしてもよい。
【００２０】
この構成によれば、専用コマンドを送信する度に、毎回、異なるコマンドとすることで、専用コマンドのコピーによる不正を防止できる。
上記電子キーシステムについて、前記携帯機の前記制御手段は、前記受信有効モードにおいて、前記無線信号が前記受信手段によって受信されることなく、前記振動センサによって当該携帯機への振動が検出されないまま前記一定時間が経過したとき、前記機器から送信されるコマンド信号の受信を可能としつつ前記無線信号の受信を不可とする前記受信停止モードへ当該携帯機を遷移させるとともに、前記受信停止モードにおいて、前記コマンド信号が前記受信手段によって受信されることなく、前記振動センサによって当該携帯機への振動が検出されないまま前記一定時間よりも長い規定時間が経過したとき、前記受信手段による前記無線信号及び前記コマンド信号の受信を共に不可とする受信完全停止モードへ当該携帯機を遷移させることとしてもよい。
【００２１】
この構成によれば、受信完全停止モードでは、機器からの無線信号の他、コマンド信号の受信についても不可とされる分、受信手段による消費電流が受信停止モードよりもさらに抑えられる。したがって、携帯機の待機電流をさらに低減できる。もっとも、一定時間よりも長い規定時間を設定しつつ、中継器による不正なリレーを行い得る当該一定時間を短くする一方で、ユーザの意図した時に双方向通信を確立し得る当該規定時間を長くしている。これにより、セキュリティ性と利便性を共に向上できる。尚、受信完全停止モードにおいて、携帯機への振動が検出されると、受信有効モードへ遷移し、機器からの無線信号を受信できるため、双方向通信が確立されるようになる。
【００２２】
上記課題を解決する電子キーシステムは、上記携帯機と、当該携帯機の通信相手である前記機器との間で、当該機器から送信される前記無線信号を契機に双方向通信が確立され、当該双方向通信によるキー照合を経て前記携帯機の正当性が認められたとき、前記機器の制御が可能になる電子キーシステムにおいて、前記携帯機の前記制御手段は、前記受信有効モードにおいて、前記無線信号が前記受信手段によって受信されることなく、前記振動センサによって当該携帯機への振動が検出されないまま前記一定時間が経過したとき、前記受信停止モードへの遷移の可否についての問い合わせ信号を前記機器に送信するとともに、前記問い合わせ信号に応答して前記機器から送信される遷移否定信号が前記受信手段によって受信されたとき、当該携帯機を前記受信停止モードへ遷移させず前記受信有効モードで維持し、前記遷移否定信号が前記受信手段によって受信されないとき、当該携帯機を前記受信停止モードへ遷移させることをその要旨としている。
【００２３】
この構成によれば、機器からの遷移否定信号を受信できる環境下で携帯機が受信停止モードとなることを回避できる。これにより、ユーザの意図した時に双方向通信が確立されて、機器を制御できる。
【発明の効果】
【００２４】
本発明によれば、携帯機の待機電流を低減できる。
【図面の簡単な説明】
【００２５】
【図１】第１の実施の形態について、スマートキーシステムの構成を示すブロック図。
【図２】第１の実施の形態について、携帯機のモード遷移図。
【図３】第２の実施の形態について、携帯機のモード遷移図。
【発明を実施するための形態】
【００２６】
（第１の実施の形態）
以下、携帯機及び電子キーシステムの第１の実施の形態について説明する。
図１に示すように、電子キーシステムの一例である、いわゆるスマートキーシステム（登録商標）１は、車両２と携帯機３との間で双方向通信によるキー照合を行い、キー照合が成立したことを条件に、ドアの解錠を行う。
【００２７】
車両２は、自車のセキュリティ制御を司る照合ＥＣＵ２１の他、ＬＦ信号（一例としてＬＦ帯の電波の総称）を送信可能なＬＦアンテナ２２と、ＲＦ信号（一例としてＵＨＦ帯の電波の総称）を受信可能なＲＦチューナ２３とを備えている。車両２は機器に相当する。
【００２８】
照合ＥＣＵ２１は、車両２への携帯機３の接近を監視するために、ＬＦ信号の一つであるウェイク信号をＬＦアンテナ２２から送信してドアの周辺にＬＦエリアを形成する。携帯機３を所持するユーザがＬＦエリア内に進入すると、ウェイク信号の受信を可能とする受信有効モードへ携帯機３が遷移されていることを前提に、携帯機３によってウェイク信号が受信され、ウェイク信号を契機に双方向通信が確立される。ウェイク信号は、双方向通信の契機となる無線信号に相当する。双方向通信の過程において、携帯機３に固有のキーＩＤを含むレスポンス信号がＲＦ信号の一つとして携帯機３から送信される。
【００２９】
照合ＥＣＵ２１には、携帯機３のキーＩＤが登録されている。照合ＥＣＵ２１は、ＲＦチューナ２３でレスポンス信号が受信されると、レスポンス信号に含まれるキーＩＤを登録済のキーＩＤと照合する。照合ＥＣＵ２１は、キーＩＤが照合一致することでキー照合が成立すると、ドアの解錠を許可する。このとき、ユーザがドアハンドルに触れると、実際にドアが解錠される。
【００３０】
また、照合ＥＣＵ２１は、ウェイク信号とは別に、送信の度にカウントアップされるローリングカウンタを含む専用コマンドによるコマンド信号をＬＦ信号の一つとしてＬＦアンテナ２２から送信する。コマンド信号は、ウェイク信号等の双方向通信に用いられる他のＬＦ信号と干渉しないタイミングで定期送信（一例として２０秒間隔）される。
【００３１】
携帯機３は、自キーの統括的な制御を司るマイコン３１の他、ＬＦ信号を受信可能なＬＦ受信回路３２と、ＲＦ信号を送信可能なＲＦ送信回路３３と、自キーへの振動を検出可能な振動センサ３４とを備えている。
【００３２】
マイコン３１は、ＬＦ受信回路３２によるウェイク信号の受信を可能とする受信有効モードと、コマンド信号の受信を可能としつつウェイク信号の受信を不可とする受信停止モードと、ＬＦ信号の一切の受信を不可とする受信完全停止モードのいずれかに選択的に携帯機３を遷移させる。マイコン３１は、受信有効モード中にＬＦ受信回路３２でウェイク信号が受信されると、ＲＦ信号の一つであるアック信号をＲＦ送信回路３３から送信し、ＬＦ信号の一つであるチャレンジ信号がＬＦ受信回路３２で受信されると、レスポンス信号をＲＦ送信回路３３から送信する。ＬＦ受信回路３２は受信手段に相当し、マイコン３１は制御手段に相当する。
【００３３】
また、マイコン３１のメモリ３５には、携帯機側カウンタが記憶されている。マイコン３１は、受信停止モード中にＬＦ受信回路３２で受信されたコマンド信号に含まれるローリングカウンタが、メモリ３５に記憶された携帯機側カウンタよりも大きいことを条件に、当該ローリングカウンタを新たな携帯機側カウンタとしてメモリ３５に記憶しつつ携帯機３を受信有効モードへ遷移させる。
【００３４】
尚、携帯機３には、ドアの施錠或いは解錠を指示するリモートキーレスエントリ（登録商標）のスイッチ（図示略）が備えられ、マイコン３１は、当該スイッチが操作された或いはＬＦ受信回路３２でウェイク信号が受信されたとき、車両２との間で携帯機３を送信側とする単方向通信或いは双方向通信を行う通信動作モードへ携帯機３を遷移させる。通信動作モードは受信有効モードに含まれる。
【００３５】
次に、携帯機３の作用について説明する。前提として、ＬＦエリア外の例えば自宅で振動が加わらない静置の状態で携帯機３が保管されているとき、携帯機３は受信完全停止モードに遷移されている。
【００３６】
図２に示すように、マイコン３１は、受信完全停止モードにおいて、携帯機３への振動が検出されたとき、携帯機３を受信有効モードへ遷移させる。また、マイコン３１は、受信完全停止モードにおいて、リモートキーレスエントリのスイッチが操作されたとき、受信有効モードのうち通信動作モードへ携帯機３を遷移させる。そして、マイコン３１は、携帯機３を受信有効モードへ遷移させたことを契機に、タイマによる計時動作を開始する。
【００３７】
マイコン３１は、受信有効モードにおいて、携帯機３への振動が検出された又はリモートキーレスエントリのスイッチが操作された又はＬＦ信号がＬＦ受信回路３２によって受信されたとき、タイマによる計時動作をリスタートする。また、マイコン３１は、受信有効モードにおいて、携帯機３への振動が検出されず且つリモートキーレスエントリのスイッチが操作されず且つＬＦ信号がＬＦ受信回路３２によって検出されないまま、タイマによる計時動作を通じて計時された時間が一定時間（一例として６０秒程度）に達したとき、携帯機３を受信停止モードへ遷移させる。そして、マイコン３１は、携帯機３を受信停止モードへ遷移させたことを契機に、タイマによる計時動作を開始する。
【００３８】
マイコン３１は、受信停止モードにおいて、携帯機３への振動が検出された又はリモートキーレスエントリのスイッチが操作された又はコマンド信号がＬＦ受信回路３２によって受信されたとき、携帯機３を受信有効モードへ遷移させる。また、マイコン３１は、受信停止モードにおいて、携帯機３への振動が検出されず且つリモートキーレスエントリのスイッチが操作されず且つコマンド信号がＬＦ受信回路３２によって検出されないまま、タイマによる計時動作を通じて計時された時間が規定時間（一例として１時間程度）に達したとき、携帯機３を受信完全停止モードへ遷移させる。
【００３９】
以上説明したように、本実施の形態によれば、以下の効果を奏することができる。
（１）携帯機３は、振動の検出に伴い受信有効モードへ遷移した後、その受信有効モードにおいて、ウェイク信号が受信されることなく、振動が検出されないまま一定時間（Ｔ１＝６０秒程度）が経過すると、受信停止モードへ遷移する。受信停止モードでは、ＬＦ受信回路３２による消費電流がほぼゼロに抑えられるため、常時、ウェイク信号を受信可能な状態を維持する場合に比べ、携帯機３の待機電流を低減できることになる。これにより、ウェイク信号の及ばない場所で振動が加わらない静置の状態で保管している期間の長い携帯機３を対象に、電池寿命が延長される。また、ユーザの意図以外での通信を制限できるので、システム自体のセキュリティ性が向上されるようになる。
【００４０】
（２）受信有効モード中には、ウェイク信号が受信される又は振動が検出される都度、タイマによる計時動作がリスタートされる。これにより、携帯機３の使用時に受信停止モードとなることを回避できる。
【００４１】
（３）受信停止モード中には、双方向通信の契機となるウェイク信号の受信を不可とすることで、双方向通信に際し携帯機３から送信されるＲＦ信号が中継器によって不正にリレーされることを防止できるとともに、コマンド信号の受信に伴い受信停止モードから受信有効モードとなるので、ユーザの意図した時に双方向通信を確立できる。したがって、セキュリティ性と利便性を両立できる。
【００４２】
（４）本例の車両２は、６０秒程度の一定時間よりも短い周期である２０秒間隔でコマンド信号を送信する。この構成によれば、車両２からのコマンド信号を携帯機３によって確実に受信できるため、当該コマンド信号を受信できる環境下で携帯機３が受信停止モードとなることを確実に回避できる。これにより、ユーザの意図した時に確実に双方向通信が確立されて、確実に車両２を制御できる。
【００４３】
（５）専用コマンドによるコマンド信号を用いつつ、当該専用コマンドを受信できる環境下で携帯機３が受信停止モードとなることを回避できる。これにより、ユーザの意図した時に双方向通信が確立されて、車両２を制御できる。
【００４４】
（６）専用コマンドを送信する度に、毎回、異なるコマンドとすることで、専用コマンドのコピーによる不正を防止できる。
（７）受信完全停止モードでは、車両２からのウェイク信号の他、コマンド信号の受信についても不可とされる分、ＬＦ受信回路３２による消費電流が受信停止モードよりもさらに抑えられる。したがって、携帯機３の待機電流をさらに低減できる。もっとも、６０秒程度の一定時間よりも長い１時間程度の規定時間を設定しつつ、中継器による不正なリレーを行い得る当該一定時間を短くする一方で、ユーザの意図した時に双方向通信を確立し得る当該規定時間を長くしている。これにより、セキュリティ性と利便性を共に向上できる。尚、受信完全停止モードにおいて、携帯機３への振動が検出されると、受信有効モードへ遷移し、車両２からのウェイク信号を受信できるため、双方向通信が確立されるようになる。
【００４５】
（第２の実施の形態）
次に、携帯機及び電子キーシステムの第２の実施の形態について説明する。本例は、車両２によるコマンド信号の送信が割愛される点で上記第１の実施の形態とは異なる。これに伴い、携帯機３のマイコン３１は、ＬＦ受信回路３２によるウェイク信号の受信を可能とする受信有効モード（通信動作モードを含む）と、ＬＦ受信回路３２によるウェイク信号の受信を不可とする受信停止モードのいずれかに選択的に携帯機３を遷移させる。
【００４６】
次に、携帯機３の作用について説明する。前提として、ＬＦエリア外の例えば自宅で振動が加わらない静置の状態で携帯機３が保管されているとき、携帯機３は受信停止モードに遷移されている。
【００４７】
図３に示すように、マイコン３１は、受信停止モードにおいて、携帯機３への振動が検出されたとき、携帯機３を受信有効モードへ遷移させる。また、マイコン３１は、受信停止モードにおいて、リモートキーレスエントリのスイッチが操作されたとき、受信有効モードのうち通信動作モードへ携帯機３を遷移させる。そして、マイコン３１は、携帯機３を受信有効モードへ遷移させたことを契機に、タイマによる計時動作を開始する。
【００４８】
マイコン３１は、受信有効モードにおいて、携帯機３への振動が検出された又はリモートキーレスエントリのスイッチが操作された又はＬＦ信号がＬＦ受信回路３２によって受信されたとき、タイマによる計時動作をリスタートする。また、マイコン３１は、受信有効モードにおいて、携帯機３への振動が検出されず且つリモートキーレスエントリのスイッチが操作されず且つＬＦ信号がＬＦ受信回路３２によって検出されないまま、タイマによる計時動作を通じて計時された時間が一定時間（一例として６０秒程度）に達したとき、受信停止モードへの遷移の可否についての問い合わせ信号をＲＦ信号の一つとしてＲＦ送信回路３３から送信する。このとき、車両２の照合ＥＣＵ２１は、問い合わせ信号がＲＦチューナ２３で受信されると、ＬＦ信号の一つである遷移否定信号をＬＦアンテナ２２から送信する。そして、携帯機３のマイコン３１は、受信有効モードにおいて、遷移否定信号がＬＦ受信回路３２によって受信されたときにも、タイマによる計時動作をリスタートする。
【００４９】
一方、マイコン３１は、受信有効モードにおいて、上記問い合わせ信号をＲＦ送信回路３３から送信したにも関わらず、遷移否定信号がＬＦ受信回路３２によって受信されないとき、携帯機３を受信停止モードへ遷移させる。
【００５０】
以上説明したように、本実施の形態によれば、以下の効果を奏することができる。
（８）車両２からの遷移否定信号を受信できる環境下で携帯機３が受信停止モードとなることを回避できる。これにより、ユーザの意図した時に双方向通信が確立されて、車両２を制御できる。
【００５１】
尚、上記各実施の形態は、次のように変更して具体化することも可能である。
・上記第１の実施の形態について、車両２から送信されるコマンド信号として、送信の度にカウントダウンされるローリングカウンタを含む専用コマンドを採用してもよい。この場合、携帯機３のマイコン３１は、受信停止モード中にＬＦ受信回路３２で受信されたコマンド信号に含まれるローリングカウンタが、メモリ３５に記憶された携帯機側カウンタよりも小さいことを条件に、当該ローリングカウンタを新たな携帯機側カウンタとしてメモリ３５に記憶しつつ携帯機３を受信有効モードへ遷移させる。
【００５２】
・上記第１の実施の形態について、車両２から送信されるコマンド信号として、双方向通信に際し車両２から携帯機３に送信される既存コマンドを採用してもよい。この構成によれば、既存コマンドを流用しつつ、当該既存コマンドを受信できる環境下で携帯機３が受信停止モードとなることを回避できる。これにより、ユーザの意図した時に双方向通信が確立されて、車両２を制御できる。
【００５３】
・上記第１の実施の形態の一定時間と上記第２の実施の形態の一定時間は同じ時間であってもよいし、異なる時間であってもよい。もっとも、各実施の形態による６０秒程度に限定されない。短い時間である程、中継器による不正なリレーを行い得る時間が短くなるため、セキュリティ性を向上できる。
【００５４】
・上記第１の実施の形態の規定時間は１時間程度に限定されない。上記一定時間を短くしつつ、当該規定時間を長くする程、セキュリティ性の向上を図りつつ、ユーザの意図した時に双方向通信を確立し得る時間が長くなるため、利便性を向上できる。
【００５５】
・上記第１の実施の形態について、コマンド信号の受信を可能としつつウェイク信号の受信を不可とする受信停止モードを割愛し、受信有効モードにおいて、携帯機３への振動が検出されず且つリモートキーレスエントリのスイッチが操作されず且つＬＦ信号がＬＦ受信回路３２によって受信されないまま一定時間が経過したとき、携帯機３が受信完全停止モード（本別例による新たな受信停止モード）へ遷移される構成を採用してもよい。
【００５６】
この場合、上記第１の実施の形態に倣い、一定時間を６０秒程度に設定しつつ、コマンド信号の送信周期を２０秒間隔に設定することで、携帯機３において、一定時間内にコマンド信号の受信機会が３回訪れることになるが、当該受信機会を増やす程、携帯機３が受信停止モードとなることを確実に回避できる。尚、受信機会を増やすにあたり、一定時間を上記に倣い６０秒程度に設定しつつ、コマンド信号の送信周期を２０秒よりも短い例えば１５秒間隔に設定してもよい。このようにすれば、一定時間の設定次第で狙いのセキュリティ性が得られる他、受信機会の増加に伴い、利便性を向上できる。
【００５７】
・上記第１の実施の形態について、受信有効モード中に入室に伴うコマンド信号がＬＦ受信回路３２によって受信されたとき、上記一定時間（図２を参照して上記第１の実施の形態の例ではＴ１＝６０秒程度）を、一例として８時間或いは携帯機３が車室内にある限り無期限に設定し直してもよい。そして、受信有効モード中に退室に伴うコマンド信号がＬＦ受信回路３２によって受信されたとき、上記一定時間を６０秒程度に戻してもよい。本例による６０秒程度の一定時間は、携帯機３が室外にあることを想定した室外用一定時間に相当し、８時間或いは無期限の一定時間は、携帯機３が室内にあることを想定した室内用一定時間に相当する。
【００５８】
この構成によれば、携帯機３を所持するユーザが入室した場合には、室内用一定時間を用いつつ、ユーザの意図した時に双方向通信を確立できる。また、携帯機３を所持するユーザが退室した場合には、室外用一定時間を用いつつ、中継器による不正を防止できる。尚、ドアの開閉状態を検出しつつ入室（乗車）或いは退室（降車）を推定することに基づき、車両２から定期的に或いは一時的にコマンド信号を送信する。
【００５９】
・携帯機３への振動を検出するにあたり、振動有りと判定するための閾値との比較を行ってもよい。
・低周波のＬＦ信号はＬＦ帯の電波に限定されない。
【００６０】
・高周波のＲＦ信号はＵＨＦ帯の電波に限定されない。
・機器は車両２に限定されない。建物から送信されるＬＦ信号を契機に双方向通信が確立され、当該双方向通信によるキー照合を経て携帯機３の正当性が認められたとき、機器の別例である建物のドア、照明、電化製品の制御が可能になる電子キーシステムに本発明を適用してもよい。
【符号の説明】
【００６１】
１…スマートキーシステム（電子キーシステム）、２…車両（機器）、３…携帯機、２１…照合ＥＣＵ、２２…ＬＦアンテナ、２３…ＲＦチューナ、３１…マイコン（制御手段）、３２…ＬＦ受信回路（受信手段）、３３…ＲＦ送信回路、３４…振動センサ、３５…メモリ。
【図１】
2018028182.tif 000003
【図２】
2018028182.tif 000004
【図３】
2018028182.tif 000005